(57)【要約】【課題】  デジタルカメラ装置単体で、画像データ自体を直接加工することなく手書き情報を付加した画像を得ることができるようにする。【解決手段】  本発明は、手書き情報記憶手段に格納された手書き情報と画像データ記憶手段に格納された画像データとを合成して手書き情報付画像を生成し、前記画像データ記憶手段に格納された画像データ自体を加工することなく、出力できるようにする。ＸＭＬやＳＶＧを用いて記述する。【選択図】  図１
2006211356.tif 000002
【特許請求の範囲】
【請求項１】
映像信号を入力する映像入力手段と、入力された映像信号をデジタル変換して画像データを生成する画像入力変換手段と、生成した画像データを格納する画像データ記憶手段と、画像データを画像データ記憶手段に格納する画像データ格納手段と、格納された画像データを出力用に変換するための画像出力変換手段と、出力用に変換された単独または複数の画像データを出力するための画像出力手段を備えたデジタルカメラ装置において、
撮影した画像に対して手書き操作によりコメントやマークなどの視覚情報を付加するための手書き入力手段と、
前記手書き入力手段によって入力された手書き入力信号をデジタル処理して手書き情報に変換する手書き入力変換手段と、
前記手書き入力変換手段によって得られた手書き情報を格納するための手書き情報記憶手段と、
前記手書き情報記憶手段に格納された手書き情報と前記画像データ記憶手段に格納された画像データとを合成して手書き情報付画像を生成するための画像合成処理手段を設け、
前記手書き入力手段から入力したコメントやマークなどの手書き情報を付加した画像を前記画像データ記憶手段に格納された画像データ自体を加工することなく生成して前記画像出力手段から出力できるように構成したことを特徴とするデジタルカメラ装置。
【請求項２】
前記画像出力手段は、デジタルカメラ装置に内蔵されているかもしくは有線または無線により接続されたディスプレイ装置への出力をおこなうものであることを特徴とする請求項１に記載のデジタルカメラ装置。
【請求項３】
前記手書き入力手段は、デジタルカメラ装置に内蔵されているかもしくは有線または無線により接続されたディスプレイ装置への手書き入力操作によっておこなうものであることを特徴とする請求項１に記載のデジタルカメラ装置。
【請求項４】
前記手書き情報記憶手段に格納される手書き情報および前記画像合成処理手段によって生成される手書き情報付画像のどちらかまたは両方は、ＸＭＬ（Extensible Markup Language）標準規格の文法に従って定義されたマークアップ言語によって記述されていることを特徴とする請求項１に記載のデジタルカメラ装置。
【請求項５】
前記手書き情報記憶手段に格納される手書き情報および前記画像合成処理手段によって生成される手書き情報付画像のどちらかまたは両方は、ＳＶＧ（Scalable Vector Graphics）標準規格を利用して記述されていることを特徴とする請求項４に記載のデジタルカメラ装置。
【請求項６】
前記画像合成処理手段は、前記手書き情報記憶手段に格納された手書き情報および前記画像データ記憶手段に格納された画像データのどちらかまたは両方に対して透明度を設定したコンポジット処理をおこなうことを特徴とする請求項１に記載のデジタルカメラ装置。
【請求項７】
前記画像合成処理手段は、前記手書き情報記憶手段に格納された手書き情報および前記画像データ記憶手段に格納された画像データに適用される排他演算や乗算などの合成モードを設定したコンポジット処理をおこなうことを特徴とする請求項１に記載のデジタルカメラ装置。
【請求項８】
前記画像合成処理手段は、前記手書き情報記憶手段に格納された手書き情報に対して縮小や回転などの１次元座標変換を適用したコンポジット処理をおこなうことを特徴とする請求項１に記載のデジタルカメラ装置。
【請求項９】
前記手書き情報記憶手段に格納された手書き情報に対して特殊効果を適用するための手書き情報処理手段をさらに設け、特殊効果が付与された手書き情報を前記画像合成処理手段によって合成するように構成したことを特徴とする請求項１に記載のデジタルカメラ装置。
【請求項１０】
合成時に適用する特殊効果を記述した複数の特殊効果情報をあらかじめ格納しておくための特殊効果情報記憶手段をさらに設け、前記手書き情報処理手段が複数の特殊効果の中から特定の特殊効果を選択して適用できるように構成したことを特徴とする請求項９に記載のデジタルカメラ装置。
【請求項１１】
前記特殊効果情報記憶手段に格納される特殊効果情報は、ＸＭＬ（Extensible Markup Language）標準規格の文法に従って定義されたマークアップ言語によって記述されていることを特徴とする請求項１０に記載のデジタルカメラ装置。
【請求項１２】
前記特殊効果情報記憶手段に格納される特殊効果情報は、ＳＶＧ（Scalable Vector Graphics）標準規格を利用して記述されていることを特徴とする請求項１１に記載のデジタルカメラ装置。
【請求項１３】
映像信号を入力する映像入力手段と、入力された映像信号をデジタル変換して画像データを生成する画像入力変換手段と、生成した画像データを格納する画像データ記憶手段と、画像データを画像データ記憶手段に格納する画像データ格納手段と、格納された画像データを出力用に変換するための画像出力変換手段と、出力用に変換された単独または複数の画像データを出力するための画像出力手段を備えたデジタルカメラ装置を制御するための制御方法であって、
撮影した画像に対して手書き操作によりコメントやマークなどの視覚情報を付加するための手書き入力ステップと、
前記手書き入力ステップで入力された手書き入力信号をデジタル処理して手書き情報に変換する手書き入力変換ステップと、
前記手書き入力変換ステップで得られた手書き情報を手書き情報記憶手段に格納する手書き情報記憶ステップと、
前記手書き情報記憶手段に格納された手書き情報と前記画像データ記憶手段に格納された画像データとを合成して手書き情報付画像を生成するための画像合成処理ステップと、
前記手書き入力ステップで入力されたコメントやマークなどの手書き情報を付加した画像を前記画像データ記憶手段に格納された画像データ自体を加工することなく生成して前記画像出力手段から出力する出力ステップと、
を有することを特徴とするデジタルカメラ装置の制御方法。
【請求項１４】
映像信号を入力する映像入力手段と、入力された映像信号をデジタル変換して画像データを生成する画像入力変換手段と、生成した画像データを格納する画像データ記憶手段と、画像データを画像データ記憶手段に格納する画像データ格納手段と、格納された画像データを出力用に変換するための画像出力変換手段と、出力用に変換された単独または複数の画像データを出力するための画像出力手段を備えたデジタルカメラ装置を制御するためのコンピュータプログラムであって、
撮影した画像に対して手書き操作によりコメントやマークなどの視覚情報を付加するための手書き入力ステップと、
前記手書き入力ステップで入力された手書き入力信号をデジタル処理して手書き情報に変換する手書き入力変換ステップと、
前記手書き入力変換ステップで得られた手書き情報を手書き情報記憶手段に格納する手書き情報記憶ステップと、
前記手書き情報記憶手段に格納された手書き情報と前記画像データ記憶手段に格納された画像データとを合成して手書き情報付画像を生成するための画像合成処理ステップと、
前記手書き入力ステップで入力されたコメントやマークなどの手書き情報を付加した画像を前記画像データ記憶手段に格納された画像データ自体を加工することなく生成して前記画像出力手段から出力する出力ステップと、
をコンピュータに実行させるためのコンピュータプログラム。
【発明の詳細な説明】
【技術分野】
【０００１】
本発明はデジタルカメラ装置に関し、特にデジタルカメラ装置における手書き情報合成方法に関するものである。
【背景技術】
【０００２】
近年、ＣＣＤ入力装置より入力した映像をデジタル変換して画像データとして記憶装置に格納するいわゆるデジタルカメラ装置が実用化され、デジタル画像の作成手段として広く利用されるようになった。こうしたデジタルカメラ装置によって撮影された画像は、プリンタ装置で印刷することによって従来の銀塩写真と同様に鑑賞できるだけでなく、デジタルカメラ装置に内蔵された表示装置に表示させて鑑賞することができる。
【特許文献１】特開平１１−３５５５５０号公報
【発明の開示】
【発明が解決しようとする課題】
【０００３】
しかしながら、上記従来例のデジタルカメラ装置においては、撮影された画像に対してコメントやマークなどの手書き情報を付加する機能が提供されていないため、画像に撮影時の情報をメモ書きとして記入することやあるいは感情表現を追加するために画像の周囲に視覚的な装飾を施すといったコミュニケーション性を支援する機能が求められる用途は適していないという欠点があった。このことは、デジタルカメラ装置に内蔵された表示装置に画像を表示させて鑑賞する際の大きな制約となってきた。
【０００４】
こうした欠点を解決する方法としては、デジタルカメラ装置で撮影された画像データをコンピュータ装置に転送し、コンピュータ装置上で動作するプログラムを使用することによって手書き情報を付加した上で、再度デジタルカメラ装置に転送して表示するという方法が考えられる。
【０００５】
しかしながら、上記の解決方法においては、はじめに画像データをコンピュータ装置に転送する必要があるため、デジタルカメラ装置単体で手書き情報付画像を作成することの利便性は得られず、さらに、画像の撮影から手書き情報の付加およびデジタルカメラ装置での表示に至る過程の操作は、多くのステップを要する非常に煩雑な手続きになるという問題がある。
【０００６】
本発明は上記の実情に鑑みてなされたものであり、その目的とするところは、デジタルカメラ装置単体で手書き情報付画像を作成するとともに表示できるようにすることによって鑑賞の利便性を向上させた手書き情報合成方法およびこの方法を使用するデジタルカメラ装置を提供することである。
【０００７】
また本発明は、画像データ自体を直接加工することなく手書き情報を付加した画像を得ることができる手書き情報合成方法およびこの方法を使用するデジタルカメラ装置を提供することを目的とする。
【課題を解決するための手段】
【０００８】
上記目的を達成するために、例えば、本発明のデジタルカメラ装置は以下のような構成要素を備えるようにした。すなわち、
撮影した画像に対して手書き操作によりコメントやマークなどの視覚情報を付加するための手書き入力手段と、
前記手書き入力手段によって入力された手書き入力信号をデジタル処理して手書き情報に変換する手書き入力変換手段と、
前記手書き入力変換手段によって得られた手書き情報を格納するための手書き情報記憶手段と、
前記手書き情報記憶手段に格納された手書き情報と画像データ記憶手段に格納された画像データとを合成して手書き情報付画像を生成するための画像合成処理手段を設け、
前記手書き入力手段から入力したコメントやマークなどの手書き情報を付加した画像を画像データ記憶手段に格納された画像データ自体を加工することなく生成して画像出力手段から出力できるように構成した。
【発明の効果】
【０００９】
本発明によれば、デジタルカメラ装置単体で手書き情報付画像を作成するとともに表示できるようにすることによって鑑賞の利便性が向上するという効果がある。
【００１０】
また本発明によれば、画像データ自体を直接加工することなく手書き情報を付加した画像を得ることができるという効果がある。
【００１１】
また本発明によれば、画像データと手書き情報は独立して扱うことができるため、同一の画像データに対して異なる手書き情報を組み合わせて多様な手書き情報付画像を得ることができるという効果がある。
【００１２】
さらに、特殊効果情報の表現にＸＭＬの標準規格を使用した場合には、ＸＭＬに対応した一般的なツールやテキストエディタを用いて特殊効果情報を編集できるため、特殊効果情報作成の負担が軽減するという効果が得られる。
【００１３】
また、手書き情報付画像の表現にＳＶＧの標準規格を使用した場合には、ＳＶＧに対応した一般的なインターネット閲覧ソフトウェアを用いて手書き情報付画像を表示できるため、手書き情報付画像鑑賞の利便性が向上するという効果が得られる。
【発明を実施するための最良の形態】
【００１４】
（実施例１）
以下、本発明の詳細をその実施の形態にもとづいて図面を参照しながら説明する。
【００１５】
図１は本発明の一実施形態によるデジタルカメラの構成を示すブロック図である。
【００１６】
図１において、制御部１には撮像部２１、モード切替スイッチ３、特殊効果選択スイッチ４、特殊効果決定スイッチ５、シャッターボタン６、手書き情報保存スイッチ７、手書き情報付画像選択スイッチ８、手書き情報消去スイッチ１５、手書き入力有効・無効スイッチ１６からそれぞれ信号が入力される。また制御部１から記録部１１に対して出力がなされる。また、制御部１はＲＡＭ９、ＲＯＭ１０に接続している。
【００１７】
上記各部のうち、撮像部２１は、被写体画像をデジタル信号に変換して制御部１に入力する。モード切替スイッチ３はデジタルカメラのモードを撮影モード、再生モードのいずれかに切り替えるスイッチである。
【００１８】
上記記録部１１は画像データの記録媒体への記録や記録媒体から読み込みを行うためのインタフェースである。また、同時に上記記録部１１は手書き情報の読み込み、書き込みができる。
【００１９】
上記表示部２は、２つの部分に分かれ、表示パネル部はデジタルカメラのファインダーであるとともに、再生時にはディスプレイとなる。また、ＳＶＧ標準規格によって記述された内容を解釈し、動的に画像を生成して表示する機能を併せ持つ。また、もう１つの部分であるタッチパネル部はペンなどの入力装置との接触をデジタル信号に変換し、制御部１に出力する機能を持つ。
【００２０】
次に、上記のように構成されたデジタルカメラの実施例における撮影モードについて説明する。撮影モード時の処理は、モード切替スイッチ３によって、デジタルカメラのモードが撮影モードに設定されたときに開始する。図２は撮影モード時の処理の流れを示した図である。まず、撮像部２１は被写体像をデジタル信号に変換し、制御部１に入力し、さらに表示部２の表示パネルに転送する（ステップ１０１）。手書き情報の付加が有効かどうかを判断する処理を設け（ステップ１０２）、有効であればＲＯＭ１０からＲＡＭ９に手書き情報テンプレートのＳＶＧ文書（図４参照）を転送し、これを手書き情報とした上で、ステップ１０３に進む。なお、手書き情報テンプレートのＳＶＧ文書には１つだけ<image>要素を含むものとする。また、手書き入力情報の有効・無効は手書き入力有効・無効切替スイッチ１６によって行なわれる。
【００２１】
ここで、手書き入力処理（ステップ１０３）について説明する。まず、手書き入力情報に特殊効果を適用するかどうかを選択し（ステップ２０１）、適用する場合はステップ２０２に進む。一方、特殊効果を適用しない場合はステップ２０４に進む。
【００２２】
ここで、特殊効果情報はＳＶＧ標準規格に従って記述されており、ＲＯＭ１０あるいは記録部１１の記録媒体にファイルとして複数存在する。特殊効果選択スイッチ４でそのうちの１つを選択し、特殊効果決定スイッチ５によって適用する特殊効果を決定する（ステップ２０２）。適用する特殊効果情報の記述内容（図５参照）をＲＡＭ９に転送して、手書き情報に追加する（ステップ２０３）。
【００２３】
ステップ２０４において、ペンと表示部２のタッチパネル部の接触を判定し、その軌跡をステップ２０５において座標値に変換する。さらにそれを、パスのデータとしてＳＶＧ標準規格に従って記述したもの（図６参照）をＲＡＭ９上に構成し、手書き情報にこれを追加する。このとき、特殊効果が選択されていた場合はパスの情報の中にそれを含める。
【００２４】
次に合成画像表示処理（ステップ２０６）について説明する。この処理では、ＲＡＭ９に存在する手書き情報を解析し、それに基づいて合成画像データを生成し、表示部２に出力する。図７に示したのがＲＡＭ９に存在する手書き情報の１つの例である。また、図８は被写体像に図７の手書き情報を付加した結果の画像である。
【００２５】
さらに、手書きデータを入力する場合にはステップ２０１に戻り、手書き入力が完了するまで繰り返す。
【００２６】
図２に戻り、記録処理（ステップ１０４、ステップ１０５）について説明する。シャッターボタン６が押下されるまでは、処理はステップ１０２へ戻る。シャッターボタン６が押下されると、撮像部２１から被写体像がデジタル信号に変換され、記録部１１の記録媒体にファイルとして保存される。さらに、保存されたときのファイル名を取得し、ＲＡＭ９に存在する手書き情報の<image>要素のxlink:href属性の属性値を、そのファイル名に変更する。そしてＲＡＭ９上に構築された手書き情報を記録部１１に出力し、記録媒体に保存し、再びステップ１０２に戻る。
【００２７】
なお、上記各処理のいずれかの時点で手書き情報消去スイッチ１５が押下されることによって、ＲＡＭ９上の手書き情報は消去される。
【００２８】
次に、再生モードについて説明する。再生モード時の処理はモード切替スイッチ３によってデジタルカメラのモードが再生モードに設定された場合に開始される。再生モード時の処理の流れを図９に示した。まず記録部１１の記録媒体に存在する手書き情報付画像、つまりＳＶＧで記述された手書き情報を手書き情報付画像選択スイッチ８によって選択し、手書き情報をＲＡＭ９に転送する（ステップ３０１）。次にＲＡＭ９に存在する手書き情報を解析し、記録部１１の記録媒体に存在する画像データと合わせて合成画像データを生成し、表示部２に出力する（ステップ３０２）。手書きデータを編集する場合は手書き入力処理（ステップ３０３）に移る。処理は図３に示したとおりで、撮影時の処理と同じである。さらに手書き情報保存スイッチ７により、記録処理を行なう。この処理は、ＲＡＭ９上に構築された手書き情報を記録部１１に出力し、記録媒体に保存する。
【００２９】
以上説明したように本発明によれば、デジタルカメラ装置単体で手書き情報付画像を作成するとともに表示できるようにすることによって鑑賞の利便性が向上するという効果がある。
【００３０】
また本発明によれば、画像データ自体を直接加工することなく手書き情報を付加した画像を得ることができるという効果がある。
【００３１】
また本発明によれば、画像データと手書き情報は独立して扱うことができるため、同一の画像データに対して異なる手書き情報を組み合わせて多様な手書き情報付画像を得ることができるという効果がある。
【００３２】
さらに、特殊効果情報の表現にＸＭＬの標準規格を使用した場合には、ＸＭＬに対応した一般的なツールやテキストエディタを用いて特殊効果情報を編集できるため、特殊効果情報作成の負担が軽減するという効果が得られる。
【００３３】
また、手書き情報付画像の表現にＳＶＧの標準規格を使用した場合には、ＳＶＧに対応した一般的なインターネット閲覧ソフトウェアを用いて手書き情報付画像を表示できるため、手書き情報付画像鑑賞の利便性が向上するという効果が得られる。
【図面の簡単な説明】
【００３４】
【図１】本発明の一実施形態によるデジタルカメラの構成を示すブロック図である。
【図２】本発明の一実施形態における撮影時の処理の流れを示すフローチャート図である。
【図３】本発明の一実施形態における手書き入力処理の流れを示すフローチャート図である。
【図４】本発明の一実施形態における手書き情報テンプレートの記述例を示した図である。
【図５】本発明の一実施形態における特殊効果情報の記述例を示した図である。
【図６】本発明の一実施形態における手書き情報の記述例を示した図である。
【図７】本発明の一実施形態における手書き情報付画像の記述例を示した図である。
【図８】本発明の一実施形態における手書き情報付画像の表示例を示した図である
【図９】本発明の一実施形態における再生時の処理の流れを示すフローチャート図である。
【図１】
2006211356.tif 000003
【図２】
2006211356.tif 000004
【図３】
2006211356.tif 000005
【図４】
2006211356.tif 000006
【図５】
2006211356.tif 000007
【図６】
2006211356.tif 000008
【図７】
2006211356.tif 000009
【図８】
2006211356.tif 000010
【図９】
2006211356.tif 000011